(57)【要約】      （修正有）【課題】あご紐の締め付け作業を容易とすることが可能なヘルメットを提供する。【解決手段】前後方向に沿う分割部２において互いに開閉可能な左帽体３Ｌと右帽体３Ｒとを有している。そして、帽体３を頭部に装着した際にあご部に掛けることができるように、帽体３の左右に下側に向けて掛け渡されるあご紐４を有している。そして、あご紐４の帽体３に掛け渡される掛け渡し部の長さを、左帽体３Ｌと右帽体３Ｒとが閉じているときに比べて、開いているときの方が長くなるように変化させることができる。【選択図】図１
2010255142.tif 000002
【特許請求の範囲】
【請求項１】
前後方向に沿う分割部において互いに開閉可能な左帽体と右帽体とを有する帽体と、
上記帽体を頭部に装着した際にあごに掛けることができるように、上記帽体の左右に下側に向けて掛け渡されるあご紐と、
上記あご紐の上記帽体に掛け渡される掛け渡し部の長さを、上記左帽体と右帽体とが閉じているときに比べて、開いているときの方が長くなるように変化させることができるあご紐伸縮機構と、
を有することを特徴とするヘルメット。
【請求項２】
請求項１に記載のヘルメットにおいて、
前記あご紐伸縮機構は、
前記左帽体に配置されるあご紐左固定部と、
上記あご紐左固定部と前記分割部との間に配置され、前記左帽体に対して固定位置とされるあご紐左掛け部と、
前記右帽体に配置されるあご紐右固定部と、
上記あご紐右固定部と前記分割部との間に配置され、前記右帽体に対して固定位置とされる掛け部と、
上記あご紐左固定部と上記あご紐右固定部とを連結し、その長さが一定に保持される連結体と、
を有し、
前記あご紐は、前記左帽体側において、左端部が上記あご紐左固定部に固定されると共に上記あご紐左掛け部に対して掛けられ、かつ、前記右帽体側において、右端部が上記あご紐右固定部に固定されると共に上記あご紐右掛け部に対して掛けられる、
ことを特徴とするヘルメット。
【請求項３】
請求項２に記載のヘルメットにおいて、
前記あご紐は両端側において２本に分岐し、前記あご紐左固定部および前記あご紐右固定部に対して、それぞれ２ヵ所で固定され、前記あご紐左掛け部および前記掛け部に対して、それぞれ２ヵ所に掛けられている、
ことを特徴とするヘルメット。
【請求項４】
請求項２または３に記載のヘルメットにおいて、
前記あご紐伸縮機構は、
前記帽体の外側シェルと、上記外側シェルの内側に配置される緩衝体との間に配置され、
前記あご紐左掛け部および前記掛け部に掛けられた前記あご紐は、前記左帽体および前記右帽体の上記緩衝体にそれぞれ形成される孔部を通って下方に引き出されている、
ことを特徴とするヘルメット。
【請求項５】
請求項４に記載のヘルメットにおいて、
前記あご紐左掛け部と前記孔部との間、および前記あご紐右掛け部と前記孔部との間には、それぞれ前記あご紐をガイドするあご紐ガイドが設けられ、上記あご紐ガイドのガイド面は平滑な面である、
ことを特徴とするヘルメット。
【請求項６】
請求項２から５のいずれか１項に記載のヘルメットにおいて、
前記あご紐伸縮機構は、
前記緩衝体に形成される凹部内に収容されている、
ことを特徴とするヘルメット。
【請求項７】
請求項１から６のいずれか１項に記載のヘルメットにおいて、
前記左帽体と前記右帽体とは、前記分割部において、前後いずれか一方の側を支点として開閉する、
ことを特徴とするヘルメット。
【発明の詳細な説明】
【技術分野】
【０００１】
本発明は、ヘルメットに関する。
【背景技術】
【０００２】
ヘルメットのあご紐の締め付け、取外しを容易にするための技術として、次のものが提案されている。ヘルメットの下端両側に設けられたあご紐の、一方側に２つの環状の掛止部材を設けて他方のあご紐と連結できるように構成し、前記２つの掛止部材のうちヘルメット側に位置する第１の掛止部材を、外側に位置する第２の掛止部材より幅狭に形成し、第１の掛止部材と第２の掛止部材とを重ねた時にこれらの掛止部材の前記他方のあご紐側に所望の隙間が形成されるように、第１の掛止部材と第２の掛止部材とを別々に前記一方側のあご紐に保持する。（特許文献１参照）。
【０００３】
このような技術を採用することによって、２つの掛止部材は重ねた時に完全に重ならずに所望の隙間が形成されるので、締め付けの際の抵抗が少なく、また、前記２つの掛止部材はヘルメット側に位置する一方の掛止部材の幅が外側に位置する他方の掛止部材の幅より狭く形成されているので、取外し時に掛止部材に指が掛け易く取外しを容易に行うことができる。
【先行技術文献】
【特許文献】
【０００４】
【特許文献１】特開平７−１１６００５号公報
【発明の概要】
【発明が解決しようとする課題】
【０００５】
特許文献１に記載されているヘルメットを頭部に装着する際には、ユーザは、あごの下側に位置する掛止部材にあご紐を通し、あご紐を締める作業を要する。しかしながら掛止部材があごの下側にあり見え難いため、あご紐を締める作業は、煩わしい作業である。特に、子供や身体に障害がある者にとっては、困難な作業になることが多い。
【０００６】
そこで、本発明の目的は、あご紐を締める作業を容易とすることが可能なヘルメットを提供することである。
【課題を解決するための手段】
【０００７】
上記目的を達成するため、本発明のヘルメットは、前後方向に沿う分割部において互いに開閉可能な左帽体と右帽体とを有する帽体と、帽体を頭部に装着した際にあごに掛けることができるように、帽体の左右に下側に向けて架け渡されるあご紐と、あご紐の帽体に架け渡される架け渡し部の長さを、左帽体と右帽体とが閉じているときに比べて、開いているときの方が長くなるように変化させることができるあご紐伸縮機構と、を有する。
【０００８】
ここで、あご紐伸縮機構は、左帽体に配置されるあご紐左固定部と、あご紐左固定部と分割部との間に配置され、左帽体に対して固定位置とされるあご紐左掛け部と、右帽体に配置されるあご紐右固定部と、あご紐右固定部と分割部との間に配置され、右帽体に対して固定位置とされる掛け部と、あご紐左固定部とあご紐右固定部とを連結し、その長さが一定に保持される連結体と、を有し、あご紐は、左帽体側において、左端部があご紐左固定部に固定されると共にあご紐左掛け部に対して掛けられ、かつ、右帽体側において、右端部があご紐右固定部に固定されると共にあご紐右掛け部に対して掛けられることが好ましい。
【０００９】
また、あご紐は両端側において２本に分岐し、あご紐左固定部およびあご紐右固定部に対して、それぞれ２ヵ所で固定され、あご紐左掛け部および掛け部に対して、それぞれ２ヵ所に掛けられている、ことが好ましい。
【００１０】
また、あご紐伸縮機構は、帽体の外側シェルと、外側シェルの下方に配置される緩衝体との間に配置され、あご紐左掛け部および掛け部に掛けられたあご紐は、左帽体および右帽体の緩衝体にそれぞれ形成される孔部を通って下方に引き出されている、ことが好ましい。
【００１１】
また、あご紐左掛け部と孔部との間、およびあご紐右掛け部と孔部との間には、それぞれあご紐をガイドするあご紐ガイドが設けられ、あご紐ガイドのガイド面は平滑な面であることが好ましい。
【００１２】
また、あご紐伸縮機構は、緩衝体に形成される凹部内に収容されている、ことが好ましい。
【００１３】
また、左帽体と右帽体とは、分割部において、前後いずれか一方の側を支点として開閉することが好ましい。
【発明の効果】
【００１４】
本発明では、あご紐を締める作業を容易とすることが可能なヘルメットを提供することができる。
【図面の簡単な説明】
【００１５】
【図１】本発明の実施の形態に係るヘルメットの外観を示す斜視図である。
【図２】本発明の実施の形態に係るヘルメットを分割部に沿って分割した状態の外観を示す図である。
【図３】図１において、左帽体と右帽体の外側シェルを省略した状態の概要図である。
【図４】図２において、左帽体と右帽体の外側シェルを省略した状態の概要図である。
【図５】本発明の実施の形態に係るヘルメットの外側シェルを省略した状態の平面概要図であり、ヘルメットの分割前の状態を示す図である。
【図６】本発明の実施の形態に係るヘルメットの外側シェルを省略した状態の平面概要図であり、ヘルメットの分割後の状態を示す図である。
【図７】本発明の実施の形態に係る連結体と、あご紐左固定部、およびあご紐右固定部の斜視図である。
【図８】本発明の実施の形態に係る左帽体側に配置されるガイド部材の斜視図である。
【図９】図３において緩衝体を省略した状態のあご紐伸縮機構を示す図である。
【図１０】図４において緩衝体を省略した状態のあご紐伸縮機構を示す図である。
【図１１】図５に示すヘルメットの切断線Ａ−Ａにおける断面の概略の構成を示す断面概略図である。
【図１２】図６に示すヘルメットの切断線Ｂ−Ｂにおける断面の概略の構成を示す断面概略図である。
【発明を実施するための形態】
【００１６】
以下、本発明の実施の形態に係るヘルメット１の構成について、図面を参照しながら説明する。
【００１７】
（ヘルメット１の全体構成）
図１は、本発明の実施の形態に係るヘルメット１を前方から見た斜視図である。ヘルメット１は、その前後方向に沿う分割部２において互いに分割される左帽体３Ｌと右帽体３Ｒ（両者を指し示すときは「帽体３」という。）と、あご紐４と、蝶番５と、蝶番カバー６と、あご紐伸縮機構１１等を有している。なお、ヘルメット１の蝶番５が設けられる側をヘルメット１の前方として、また、前方から後方に向かってヘルメット１を見たときの左手側を左方（左側）、右手側を右方（右側）として以下の説明を行う。また、ヘルメット１の頭部が装着される側を内側、その反対側を外側として以下の説明を行う。
【００１８】
図２は、帽体３が、分割部２（図１参照）において、左帽体３Ｌと右帽体３Ｒとに分割された状態を示す図である。図２に示すように、ヘルメット１の左帽体３Ｌおよび右帽体３Ｒは、それぞれ外側シェル７と、この外側シェル７の内側に配置される緩衝体８とを有している。外側シェル７は、たとえば、ＡＢＳ（Acrylonitrile Butadiene Styrene）共重合合成樹脂から形成されている。また、緩衝体８は、たとえば、発泡スチロールから形成されている。外側シェル７と緩衝体８とは、互いに接着剤等により接着され固定されている。
【００１９】
あご紐４は、左帽体３Ｌと右帽体３Ｒとの間に架け渡される。左帽体３Ｌおよび右帽体３Ｒから下側に垂れ下がる部分となる架け渡し部４ａは、ヘルメット１が頭部から容易に外れないように、あごの下側に回される部分である。つまり、架け渡し部４ａが、あごに掛かることで、ヘルメット１を頭部に容易に外れないように固定することができる。あご紐４には、架け渡し部４ａの長さを調整することができるアジャスタ４ｄが設けられている。また、あご紐４には、留め具４ｅが設けられ、この留め具４ｅにおいて、あご紐４は左右に切り離したり、また、締結することができる。
【００２０】
蝶番５は、分割部２の前端部に配置され、左帽体３Ｌと右帽体３Ｒとの間に軸部５ａが配置されている。そして、左右の羽根部５ｂ，５ｃは、それぞれ左帽体３Ｌと右帽体３Ｒに対して、ねじ５ｄにより固定されている。したがって、左帽体３Ｌと右帽体３Ｒとは、蝶番５の軸部５ａを支点にして回転可能に構成されている。つまり、ヘルメット１は、図１および図２に示すように、軸部５ａを支点にして、分割部２において左帽体３Ｌと右帽体３Ｒとが左右に開き、左帽体３Ｌと右帽体３Ｒとに分割される。
【００２１】
蝶番５は、前面側を蝶番カバー６により覆われている。蝶番カバー６は、発泡塩化ビニル製の厚手のシート体にて構成されている。したがって、蝶番５に衝撃等の外力が作用した場合であっても、蝶番カバー６に衝撃が吸収され、蝶番５が破損することを防ぐことができる。蝶番カバー６は、蝶番５とその周囲の帽体３の外側面に対して、たとえば、両面粘着テープ（図示省略）によって貼り付けられている。なお、分割部２の後端部には、左帽体３Ｌと右帽体３Ｒとが分割しないように両者を繋ぎ止めるロック機構１７（図５，６参照）が設けられている。
【００２２】
あご紐伸縮機構１１は、外側シェル７と緩衝体８との間に配置されている。あご紐伸縮機構１１は、後述するように、左帽体３Ｌと右帽体３Ｒとの開閉に対応して、あご紐４の架け渡し部４ａの長さを変化させることができるように構成されている。つまり、あご紐伸縮機構１１により、架け渡し部４ａの長さを、左帽体３Ｌと右帽体３Ｒとが閉られているとき（図１の状態）に比べて、帽体３Ｌと右帽体３Ｒとが左右に開かれている状態のとき（図２の状態）の方が長くなるようにすることができる。
【００２３】
（あご紐伸縮機構１１の構成）
図３から図１２を参照しながら、あご紐伸縮機構１１の構成について説明する。図３は、図１に示すヘルメット１の外側シェル７を省略した図であり、あご紐伸縮機構１１の左帽体３Ｌ側に設けられている部分の構成を示している。図４は、図２に示すヘルメット１の外側シェル７を省略した図であり、あご紐伸縮機構１１の左帽体３Ｌ側に設けられている部分の構成を示す図である。図３、図４において、あご紐伸縮機構１１の右帽体３Ｒ側に設けられている部分を点線にて示しているが、あご紐伸縮機構１１は、分割部２を挟んで左右対称の構成となっている。図５は、外側シェル７を省略した図であり、左帽体３Ｌと右帽体３Ｒとが閉じられた状態のヘルメット１を上方から見たとき概略の構成を示す平面図である。図６は、図５と同様に、外側シェル７を省略した図であり、左帽体３Ｌと右帽体３Ｒとが開かれた状態のヘルメット１を上方から見たときの概略の構成を示す平面図である。
【００２４】
あご紐伸縮機構１１は、あご紐左固定部としての固定部１２Ｌと、あご紐右固定部としての固定部１２Ｒ（図５、図６参照）と、連結体１２と、ガイド部材１３Ｌと、ガイド部材１３Ｒと、あご紐左掛け部としての掛け部１４Ｌと、あご紐左掛け部としての掛け部１４Ｒ（図５、図６参照）等を有している。図７に示すように、固定部１２Ｌと固定部１２Ｒとは、連結体１２により連結されている。連結体１２は、中央に円盤部１２ａを有し、その左右にそれぞれ帯状部１２ｂと帯状部１２ｃが形成されている。固定部１２Ｌおよび固定部１２Ｒは、前後方向に長い矩形の板体であり、帯状部１２ｂの左端部は、固定部１２Ｌの中央部に連結している。また、帯状部１２ｃの右端部は、固定部１２Ｒの中央部に連結している。固定部１２Ｌ、固定部１２Ｒおよび連結体１２は、樹脂成形により一体に形成されている。帯状部１２ｂ，１２ｃは、厚さ方向に対して可撓性を有している。また、固定部１２Ｌおよび固定部１２Ｒについても、厚さ方向に対して可撓性を有している。
【００２５】
図８は、ガイド部材１３Ｌおよび掛け部１４Ｌの構成を示す。右帽体３Ｒに配置されるガイド部材１３Ｒおよび掛け部１４Ｒは、分割部２を挟んで、以下に説明するガイド部材１３Ｌおよび掛け部１４Ｌの構成と左右対称の構成となっている。
【００２６】
ガイド部材１３Ｌは、前後に配置される上側ガイド部１３ａ，１３ａと、上側ガイド部１３ａ，１３ａのそれぞれの内側に配置される下側ガイド部１３ｂ，１３ｂを有している。上側ガイド部１３ａ，１３ａおよび下側ガイド部１３ｂ，１３ｂは、帯状体を呈している。そして、上側ガイド部１３ａ，１３ａと下側ガイド部１３ｂ，１３ｂとは、下端部１３ｃ，１３ｃにおいて連結されている。また、上側ガイド部１３ａ，１３ａと下側ガイド部１３ｂ，１３ｂとの間には、間隙１３ｊ，１３ｊが設けられている。
【００２７】
前後に配置される上側ガイド部１３ａおよび上側ガイド部１３ａの上端部には、前後方向に長い矩形板状の掛け部１４Ｌが上側ガイド部１３ａ，１３ａに一体に連結されている。また、下側ガイド部１３ｂ，１３ｂの上端部は、掛け部１４Ｌの内側の面に重ねられている。つまり、掛け部１４Ｌの内側面には、下側ガイド部１３ｂ，１３ｂの上端部が重ねられた状態で配置されている。
【００２８】
帯状体を呈する上側ガイド部１３ａ，１３ａおよび下側ガイド部１３ｂ，１３ｂは、上側ガイド部１３ａ，１３ａおよび下側ガイド部１３ｂ，１３ｂの厚さ方向に可撓性を有している。そのため、ガイド部材１３Ｌも全体として上側ガイド部１３ａ，１３ａ（下側ガイド部１３ｂ，１３ｂ）の厚さ方向に可撓性を有している。
【００２９】
図３から図６に示すように、左帽体３Ｌの緩衝体８には、外側（外側シェル７側）に開口部を有する凹部８Ｌが形成されている。この凹部８Ｌは、ガイド部材収容部８Ｌａおよび連結体収容部８Ｌｂとを有している。ガイド部材収容部８Ｌａには、ガイド部材１３Ｌおよび掛け部１４Ｌが収容される。また、連結体収容部８Ｌｂには、連結体１２が収容される。ガイド部材収容部８Ｌａに収容されるガイド部材１３Ｌは、ガイド部材収容部８Ｌａの底面に対して接着剤等により固定されている。ガイド部材収容部８Ｌａおよび連結体収容部８Ｌｂの底面は、緩衝体８の外側の曲面に沿う曲面に形成されている。ガイド部材１３Ｌは、上側ガイド部１３ａおよび下側ガイド部１３ｂの厚さ方向に可撓性を有している。そのため、ガイド部材１３Ｌは、ガイド部材収容部８Ｌａの底面に沿って湾曲した状態で底面に対して固定されている。また、連結体１２も帯状部１２ｂ，１２ｃの厚さ方向に可撓性を有している。そのため、連結体１２は、連結体収容部８Ｌｂの底面に沿って湾曲した状態で連結体収容部８Ｌｂ内に収容されている。
【００３０】
右帽体３Ｒの緩衝体８にも、外側（外側シェル７側）に開口部を有する凹部８Ｒが形成されている。凹部８Ｒは、左帽体３Ｌに形成される凹部８Ｌと分割部２を挟んで左右対称の形状であり、ガイド部材収容部８Ｒａおよび連結体収容部８Ｒｂとを有している。そして、ガイド部材１３Ｒは、ガイド部材収容部８Ｒａの底面に対して接着剤等により固定された状態で、ガイド部材収容部８Ｒａ内に収容されている。また、右帽体３Ｒ側に配置される連結体１２は、連結体収容部８Ｒｂ内に収容されている。ガイド部材１３Ｒも、上側ガイド部１３ｆおよび上側ガイド部１３ｆの内側に配置される下側ガイド部１３ｇの厚さ方向に可撓性を有している。そのため、ガイド部材１３Ｒは、ガイド部材収容部８Ｒａの底面に沿って湾曲した状態で底面に対して固定されている。また、連結体収容部８Ｒｂ内に収容される連結体１２は、連結体収容部８Ｒｂの底面に沿って湾曲した状態で連結体収容部８Ｒｂ内に収容されている。
【００３１】
凹部８Ｌおよび凹部８Ｒの深さは、ガイド部材１３Ｌ、ガイド部材１３Ｒおよび連結体１２が収容された際に、ガイド部材１３Ｌ、ガイド部材１３Ｒおよび連結体１２が凹部８Ｌと凹部８Ｒの開口部から突出しない深さに設定されている。ガイド部材１３Ｌ、ガイド部材１３Ｒおよび連結体１２が凹部８Ｌと凹部８Ｒの開口部から突出しないことで、緩衝体８に外側シェル７を被せたときに、外側シェル８の内周面と緩衝体８の外周面とを密着させることができ、外側シェル７と緩衝体８との接着を確実に行うことができる。
【００３２】
図５、図６、図８〜図１０に示すように、上側ガイド部１３ａ，１３ａと下側ガイド部１３ｂ，１３ｂとの間に設けられる間隙１３ｊ，１３ｊには、固定部１２Ｌの前後の端部が通されている。また、ガイド部材１３Ｒにおいても同様に、上側ガイド部１３ｆ，１３ｆと下側ガイド部１３ｇ，１３ｇとの間に設けられる間隙１３ｋに、固定部１２Ｒの前後の端部が通されている（図５、図６参照）。固定部１２Ｌは、間隙１３ｊ，１３ｊに通されることで、凹部８Ｌの底面から離れる方向への変位が、上側ガイド部１３ａ，１３ａによって規制される。また、固定部１２Ｒも、上側ガイド部１３ｆ，１３ｆと下側ガイド部１３ｇ，１３ｇとの間に設けられる間隙１３ｋに通されることで、凹部８Ｒの底面から離れる方向への変位が、上側ガイド部１３ｆ，１３ｆによって規制される。
【００３３】
上述したように、掛け部１４Ｌの内側面には、下側ガイド部１３ｂ，１３ｂの上端部が重ねて配置されている。そのため、凹部８Ｌに収容されたガイド部材１３Ｌの掛け部１４Ｌと凹部８Ｌの底面との間に、下側ガイド部１３ｂと下側ガイド部１３ｂとが前後に間隔を開けて配置される。つまり、下側ガイド部１３ｂと下側ガイド部１３ｂとの間に、掛け部１４Ｌと凹部８Ｌの底面との間を掛け部１４Ｌの短手方向に抜ける間隙１３ｄ（図８参照）が形成される。
【００３４】
また、右帽体３Ｒ側においても同様に、凹部８Ｒに収容されたガイド部材１３Ｒの掛け部１４Ｒと凹部８Ｒの底面との間には下側ガイド部１３ｇ，１３ｇが配置される。そして、掛け部１４Ｒと凹部８Ｒの底面との間を掛け部１４Ｒの短手方向に抜ける間隙１３ｈが形成される。
【００３５】
左帽体３Ｌ側に設けられる間隙１３ｄと、右帽体３Ｒ側に間隙１３ｄに対応して設けられた間隙１３ｈ、すなわち、掛け部１４Ｒと凹部８Ｒの底面との間を掛け部１４Ｒの短手方向に抜ける間隙１３ｈとには、連結体１２の帯状部１２ｂが通される。間隙１３ｄに、帯状部１２ｂが通されることで、ガイド部材１３Ｌと連結体１２との前後方向への相対的な移動が規制される。すなわち、連結体１２に固定される固定部１２Ｌと、ガイド部材１３Ｌに固定されている掛け部１４Ｌとの前後方向への相対的な移動が規制される。また、右帽体３Ｒ側に設けられる間隙１３ｈに連結体１２の帯状部１２ｃが通されることで、ガイド部材１３Ｒと連結体１２との前後方向への相対的な移動が規制される。すなわち、連結体１２に固定される固定部１２Ｒと、ガイド部材１３Ｒに固定されている掛け部１４Ｒとの前後方向への相対的な移動が規制される。
【００３６】
なお、上述したように、ガイド部材１３Ｌの間隙１３ｊ，１３ｊに連結体１２の固定部１２Ｌが通されると共に、間隙１３ｄに帯状部１２ｂが通されることで、左帽体３Ｌは、連結部１２に対して支持される。また、右帽体３Ｒも同様に、上側ガイド部１３ｆ，１３ｆと下側ガイド部１３ｇ，１３ｇとの間に設けられる間隙１３ｋに連結体１２の固定部１２Ｒが通されると共、右帽体３Ｒ側に設けられた間隙１３ｈに連結体１２の帯状部１２ｃが通されることで、右帽体３Ｒも、連結部１２に対して支持される。つまり、左帽体３Ｌおよび右帽体３Ｒは、連結体１２に対して支持されている。
【００３７】
また、左帽体３Ｌは、間隙１３ｊ，１３ｊに通される固定部１２Ｌと、間隙１３ｄを通される帯状部１２ｂとのガイドを受けて、間隙１３ｄ，１３ｄの上下方向の長さ分だけ、帯状部１２ｂに沿って移動することができる。そして、右帽体３Ｒについても同様に、上側ガイド部１３ｆ，１３ｆと下側ガイド部１３ｇ，１３ｇとの間に設けられる間隙１３ｋに通される固定部１２Ｒと、右帽体３Ｒ側に設けられた間隙１３ｈに通される帯状部１２とのガイドを受けて、上側ガイド部１３ｆ，１３ｆと下側ガイド部１３ｇ，１３ｇとの間に設けられる間隙１３ｋの長さ分だけ、帯状部１２ｂに沿って移動することができる。
【００３８】
（あご紐４の配置）
次にあご紐４のひき回しについて、図９〜図１２を参照して説明する。図９は、図３に示す左帽体３Ｌに設けられているあご紐伸縮機構１１とその周囲を拡大して示す図である。図１０は、図４に示す左帽体３Ｌに設けられているあご紐伸縮機構１１とその周囲を拡大して示す図である。図１１は、図５に示す切断線Ａ−Ａにおけるヘルメット１の断面の概略の構成を示す図を示す。図１２は、図６に示す切断線Ｂ−Ｂにおけるヘルメット１の断面の概略の構成を示す図である。
【００３９】
左帽体３Ｌの緩衝体８には、内側（頭部側）から表側（外側シェル７側）に貫通する孔部１５Ｌ（図１１、図１２参照）が形成されている。孔部１５Ｌは、ガイド部材１３Ｌの前後にそれぞれ形成されている。また、右帽体３Ｒの緩衝体８にも、左帽体３Ｌと同様に、ガイド部材１３Ｒの前後の位置に、内側から表側に貫通する孔部１５Ｒ（図１１、図１２参照）が形成されている。孔部１５Ｌ，１５Ｒの内部にはそれぞれ、あご紐ガイド１６が配置されている。このあご紐ガイド１６には、あご紐４を、帽体３の内側から緩衝体８の外側に通す孔部１６ａが形成されている。つまり、左帽体３Ｌの緩衝体８には、図１０に示すように、ガイド部材１３Ｌの前後にそれぞれ、緩衝体８の内側から表側に貫通する孔部１６ａが形成されている。また、右帽体３Ｒの緩衝体８にも同様に、ガイド部材１３Ｒの前後にそれぞれ、緩衝体８の内側から表側に貫通する孔部１６ａが形成されている。また、あご紐ガイド１６は、孔部１６ａから分割部２の側に向かってガイド部１６ｂが延設されている。孔部１６ａとガイド面１６ｂとの繋がり部分は、面取り処理が施されている。さらに、孔部１６ａの内周面およびガイド面１６ｂは凹凸のない平滑な面に形成されている。
【００４０】
図３および図４に示すように、あご紐４は、左右の両端側において、それぞれ枝紐４ｂと枝紐４ｃの２本に分岐している。枝紐４ｂ，４ｃは、左帽体３Ｌ、右帽体３Ｒにおいて、それぞれ孔部１６ａに通される。そして、左帽体３Ｌ側の孔部１６ａに通された枝紐４ｂ，４ｃのうち、枝紐４ｂは、前側の掛け部１４Ｌに分割部２の側から掛け回され、左側の端部が固定部１２Ｌに対してリベットＡによって取り付けられている。また、枝紐４ｃも、後側の掛け部１４Ｌに分割部２の側から掛け回され、左側の端部が固定部１２Ｌに対してリベットＡによって取り付けられている。枝紐４ｂ，４ｃの孔部１６ａから掛け部１４Ｌまでの間の部分の内側面の側は、ガイド部１６ｂにより支持されている。
【００４１】
右帽体３Ｒ側についても同様に、右帽体３Ｒ側の孔部１６ａに通された枝紐４ｂ，４ｃのうち、枝紐４ｂは、前側の掛け部１４Ｒに分割部２の側から掛け回され、左側の端部が固定部１２Ｒに対してリベットＡによって取り付けられている。また、枝紐４ｃも、後側の掛け部１４Ｒに分割部２の側から掛け回され、左側の端部が固定部１２Ｒに対してリベットＡによって取り付けられている。枝紐４ｂ，４ｃの孔部１６ａから掛け部１４Ｒまでの間の部分の内側面の側は、ガイド部１６ｂにより支持されている。
【００４２】
（あご紐伸縮機構１１の動作）
次に、図５、図６、図１１および図１２を主に参照しながら、あご紐伸縮機構１１の動作の動作、すなわち、左帽体３Ｌと右帽体３Ｒとの開閉に対応して、あご紐４の架け渡し部４ａの長さを変化させる動作について説明する。図５、図１１に示す左帽体３Ｌと右帽体３Ｒが閉じられている状態のときに、掛け渡し部４ａは、ヘルメット１を頭部に固定できる長さに設定されている。つまり、ヘルメット１を装着し、あご紐４の掛け渡し部４ａをあごに掛けた状態で、ヘルメット１が容易に頭部から外れないように、アジャスタ４ｄを用いて掛け渡し部４ａの長さが調整されている。
【００４３】
ガイド部材１３Ｌは、凹部８Ｌの底部に固定されている。また、ガイド部材１３Ｒも同様に、凹部８Ｒの底部に固定されている。したがって、左帽体３Ｌと右帽体３Ｒが、左右に開閉されるときには、ガイド部材１３Ｌは、左帽体３Ｌと一体に左側に移動する。また、ガイド部材１３Ｒは、右帽体３Ｒと一体に右側に移動する。一方、連結体１２は、図５、図６、図１１および図１２に示すように、ガイド部材１３Ｌとガイド部材１３Ｒが、開閉動作により左右に移動しても、ガイド部材１３Ｌおよびガイド部材１３Ｒに対して相対的に移動することなく静止している。
【００４４】
固定部１２Ｌと固定部１２Ｒとは、連結体１２に対して一体に連結されている。したがって、左帽体３Ｌを図５、図１１に示す位置から図６、図１２に示すように左方に移動（回転）すると、ガイド部材１３Ｌが左方に移動し、静止している固定部１２Ｌに掛け部１４Ｌが近づく。また、右帽体３Ｒを図５、図１１に示す位置から図６、図１２に示すように右方に移動（回転）すると、右ガイド部材１４Ｒが右方に移動し、静止している固定部１２Ｒに掛け部１４Ｒが近づく。
【００４５】
あご紐４の内、固定部１２Ｌと掛け部１４Ｌとの間に渡されている架け代部分４Ｌｄの長さは、左帽体３Ｌと右帽体３Ｒが閉じられている状態から左帽体３Ｌと右帽体３Ｒとが左右に開かれ、掛け部１４Ｌが固定部１２Ｌに近づくと、近づいた距離分４Ｌｅだけ短くなる。そして、この短くなった分が、左帽体３Ｌの下側に移動し、掛け渡し部４ａの長さを長くする。あご紐４の内、固定部１２Ｒと掛け部１４Ｒとの間に渡されている架け代部分４Ｒｄについても同様に、左帽体３Ｌと右帽体３Ｒが左右に開かれ、掛け部１４Ｒがあご紐左固定部１２Ｒに近づくと、近づいた距離分４Ｒｅだけ短くなる。そして、この短くなった分が、右帽体３Ｒの下側に移動し、掛け渡し部４ａの長さを長くする。このように、掛け部１４Ｌが固定部１２Ｌに近づいた距離と、掛け部１４Ｒが固定部１２Ｒに近づいた距離とに応じて、架け代部分４Ｌｄ，４Ｒｄの長さが短くなり、この短くなった分、掛け渡し部４ａの長さが長くなる。
【００４６】
逆に、左帽体３Ｌと右帽体３Ｒが開かれている図６、図１２に示す状態から、図５、図１１に示すように左帽体３Ｌと右帽体３Ｒを閉じると、掛け部１４Ｌが、固定部１２Ｌの側から連結体１２の中心側（円盤部１２ａ側）に移動し、下方に垂れ下がっている掛け渡し部４ａが上方に引き上げられる。また、掛け部１４Ｒも、固定部１２Ｒの側から連結体１２の中心側（円盤部１２ａ側）に移動し、下方に垂れ下がっている掛け渡し部４ａが上方に引き上げられる。これにより、掛け渡し部４ａの長さが、ヘルメット１を頭部に固定することができる長さにすることができる。
【００４７】
このように、固定部１２Ｌと分割部２との間に配置される掛け部１４Ｌを、固定部１２Ｌに対して近づけたり離したりすることで、架け代部分４Ｌｄの長さを変えることができる。また、固定部１２Ｒと分割部２との間に配置される掛け部１４Ｒを、固定部１２Ｒに対して近づけたり離したりすることで、架け代部分４Ｒｄの長さを変えることができる。つまり、架け代部分４Ｌｄと架け代部分４Ｒｄの長さを変えることで、掛け渡し部４ａの長さを変えることができる。
【００４８】
固定部１２Ｌの前後の端部は、間隙１３ｊ，１３ｊに通され、また、固定部１２Ｒの前後の端部は、間隙１３ｋ, １３ｋに通されている。また、左帽体３Ｌと右帽体３Ｒを開閉する際には、ガイド部材１３Ｌが固定部１２Ｌに対して移動し、また、ガイド部材１３Ｒが固定部１２Ｒに対して移動する。そのため、上側ガイド部１３ａ，１３ａと下側ガイド部１３ｂ，１３ｂとが固定部１２Ｌに摺動し、また、上側ガイド部１３ｆ，１３ｆと下側ガイド部１３ｇ，１３ｇとについても固定部１２Ｒに対して摺動する。さらに、連結体１２の帯状部１２ｂは、間隙１３ｄに通されている。また、連結体１２の帯状部１２ｃは、間隙１３ｈに通されている。そのため、掛け部１４Ｌが帯状部１２ｂに対して摺動し、また、掛け部１４Ｒも帯状部１２ｃに対して摺動する。
【００４９】
したがって、左帽体３Ｌと右帽体３Ｒとを開く（分割する）ときには、上述の各部の摺動により、連結体１２に引っ張り力が作用し、逆に、開かれた（分割された）左帽体３Ｌと右帽体３Ｒとを閉じるときには、連結体１２に両端側から押し縮める力が作用する。この引っ張り力と押し縮める力に対して連結体１２が変形してしまう場合には、固定部１２Ｌ，１２Ｒが、ガイド部材１３Ｌ，１３Ｒの移動に引きずられて動いてしまうことがある。そのため、左帽体３Ｌと右帽体３Ｒの開閉に対応させて行われる掛け部１４Ｌを固定部１２Ｌに対して近づけたり離したりする動作および掛け部１４Ｒを固定部１２Ｒに対して近づけたり離したりする動作がスムーズに行われ難くなる。このため、連結体１２は、上述の引っ張り力と押し縮める力に対して変形しないように、帯状部１２ｂの幅や厚さ等が設定されている。帯状部１２ｂの中央は、両端側からの押し縮める力による変形が最も大きくなる場所である。この中央部を幅広の円盤部１２ａとすることで、連結体１２の変形を効果的に抑えることができる。また、円形とすることで、押し縮める力が円盤部１２ａの一部に偏ることなく分散させることができる。
【００５０】
左帽体３Ｌおよび右帽体３Ｒの孔部１６ａを通るあご紐４は、左帽体３Ｌと右帽体３Ｒが開閉される際に、孔部１６ａおよびガイド面１６ｂに対して擦れる。そこで、孔部１６ａとガイド面１６ｂとの繋がり部分は面取り処理が施され、また、孔部１６ａの内周面およびガイド面１６ｂは凹凸のない平滑な面に形成されている。孔部１６ａの内周面およびガイド面１６ｂに、たとえば、テフロン（登録商標）加工等の摺動摩擦を低減する処理を施すことで、あご紐４とあご紐ガイド１６との間の相互の移動をより円滑なものとすることができる。なお、あご紐ガイド１６を設けることなく、緩衝体８に形成されている孔部１５Ｌ，１５Ｒに直接あご紐４を通す構成としてもよい。この場合には、孔部１５Ｌ，１５Ｒの内周面にテフロン（登録商標）加工等の摺動摩擦を低減する処理を施すことで、あご紐４と孔部１５Ｌ，１５Ｒとの間の相互の移動をより円滑なものとすることができる。
【００５１】
（本発明の実施の形態によって得られる主な効果）
本発明の実施の形態に係るヘルメット１は、前後方向に沿う分割部２において互いに開閉可能な左帽体３Ｌと右帽体３Ｒとを有する帽体３と、帽体３を頭部に装着した際にあごに掛けることができるように、帽体３の左右に下側に向けて架け渡されるあご紐４と、左帽体３Ｌと右帽体３Ｒとが閉じているときに比べて、開いているときの方が長くなるように変化させることができるあご紐伸縮機構１１とを有する。
【００５２】
このように構成することで、あご紐４の帽体３に架け渡される架け渡し部４ａの長さを、左帽体３Ｌと右帽体３Ｒとが閉じているときに比べて、開いているときの方を長くすることができる。そのため、左帽体３Ｌと右帽体３Ｒとを開けた状態でヘルメット１を装着するようにすれば、あご紐４の留め具４ｅを繋げたままの状態で、あご紐４の架け渡し部４ａをあごの下側に回すことができる。その後、左帽体３Ｌと右帽体３Ｒとを閉めることで、架け渡し部４ａの長さが短くなり、架け渡し部４ａをあごに締め付けることができる。なお、左帽体３Ｌと右帽体３Ｒとを閉めた後、ロック機構１７を操作して、左帽体３Ｌと右帽体３Ｒとが分割しないように両者を繋ぎ止める。また、ヘルメット１を頭部から外す場合には、ロック機構１７のロックを解除して、左帽体３Ｌと右帽体３Ｒとを分割する。これにより、架け渡し部４ａの長さが長くなり、あごを締めていた架け渡し部４ａをあごから外すことができ、ヘルメット１を頭部から外すことができる。上述のように、ヘルメット１は、留め具４ｅの留め外しを行うことなく装着と取り外しを行うことができる。つまり、あご紐４の締め付け作業を容易に行うことができる。
【００５３】
なお、本実施の形態おけるヘルメット１は、分割部２の前端部に配置される蝶番５を中心に左右に開閉する構成となっているが、たとえば、分割部２の後端部に蝶番５を設けることで、後端側を中心に左右に開閉する構成としてもよい。また、ヘルメット１の天頂部に蝶番５を設けることで、天頂部を中心に左右に開閉する構成としてもよい。また、左帽体右３Ｌと右帽体３Ｒとが、分割部２において左右に平行に開閉する構成としてもよい。
【００５４】
また、ヘルメット１が備えるあご紐伸縮機構１１は、左帽体３Ｌに配置される固定部１２Ｌと、固定部１２Ｌと分割部２との間に配置され、左帽体３Ｌに対して固定位置とされる掛け部１４Ｌと、右帽体３Ｒに配置される固定部１２Ｒと、固定部１２Ｒと分割部２との間に配置され、右帽体３Ｒに対して固定位置とされる掛け部１４Ｒと、固定部１２Ｌと固定部１２Ｒとを連結し、その長さが一定に保持される連結体１２と、を有し、あご紐４は、左帽体３Ｌ側において、左端部が固定部１２Ｌに固定されると共に掛け部１４Ｌに対して掛けられ、かつ、右帽体３Ｒ側において、右端部が固定部１２Ｒに固定されると共に掛け部１４Ｒに対して掛けられている。そのため、あご紐伸縮機構１１の構成を単純化することができると共に、あご紐伸縮機構１１の製造を容易にすることができる。
【００５５】
また、本実施の形態おけるヘルメット１は、あご紐伸縮機構１１が、帽体３の外側シェル７と、外側シェル７の内側に配置される緩衝体８との間に配置されているが、あご紐伸縮機構１１は、緩衝体８の内側（頭部側）に配置するようにしてもよい。この場合には、頭部と緩衝体８との間にハンモックを設け、ハンモックと緩衝体８との間に、あご紐伸縮機構１１を配置する。
【００５６】
なお、本実施の形態おけるヘルメット１は、あご紐４の両端部を枝分かれさせ、２本の枝紐４ｂ，４ｃを固定部１２Ｌおよび固定部１２Ｒの前後２ヵ所に固定されているが、あご紐４を枝分かれさせることなく、あご紐４の端部を、帯状部１２ｂ，１２ｃの端部にリベット等により取り付けてもよい。この場合には、帯状部１２ｂ，１２ｃの端部が固定部となる。また、あご紐ガイド１６は、枝紐４ｂ，４ｃ毎に設ける代わりに、帯状部１２ｂ，１２ｃのそれぞれの内側に左右一対設けることになる。そして、帯状部１２ｂ，１２ｃの端部に取り付けられたあご紐４は、掛け部１４Ｌ、および掛け部１４Ｒに掛け回されて孔部１６ａから帽体３の下側に通される。この構成とする場合には、ガイド部材１３Ｌ，１３Ｒを設けない構成としてもよい。
【００５７】
また、さらに、孔部１６ａを、固定部１２Ｒ，１２Ｌと分割部２との間に配置することで、孔部１６ａの固定部１２Ｒ，１２Ｌ側の内周面をそれぞれあご紐左掛け部とあご紐右掛け部として機能させてもよい。
【００５８】
また、本実施の形態おけるヘルメット１は、あご紐４は両端側において２本に分岐し、固定部１２Ｌおよび固定部１２Ｒに対して、それぞれ２ヵ所で固定され、掛け部１４Ｌおよび掛け部１４Ｒに対して、それぞれ２ヵ所に掛けられている。このように構成することで、あご紐４の捻じれが抑えられ、紐伸縮機構１１によって架け渡し部４ａを伸縮させる動作をスムーズに行うことができる。
【００５９】
また、あご紐伸縮機構１１は、帽体３の外側シェル７と、外側シェル７の内側に配置される緩衝体８との間に配置され、掛け部１４Ｌおよび掛け部１４Ｒに掛けられたあご紐４は、左帽体３Ｌおよび右帽体３Ｒの緩衝体８にそれぞれ形成される孔部１６ａを通って下方に引き出されている。
【００６０】
あご紐伸縮機構１１を、外側シェル７と緩衝体８との間に配置することで、あご紐伸縮機構１１を緩衝体８と頭部との間に配置した場合に比べて、ヘルメット１に衝撃が加わった場合に、頭部の保護をより確実に行うことができる。また、外部に露出しないので、雨や物が直接あたることがなく、破損を防止することができる。
【００６１】
また、あご紐左掛け部１４Ｌおよびあご紐右掛け部１４Ｒと孔部１６ａとの間には、あご紐４をガイドするあご紐ガイド１６が設けられ、あご紐ガイド１６のガイド面１６ｂは平滑な面となっている。このように構成することで、緩衝体８を通るあご紐４の移動をスムーズにすることができる。
【００６２】
また、あご紐伸縮機構１１は、緩衝体８に形成される凹部８Ｌ，８Ｒ内に収容されている。このように構成することで、ヘルメット１の大型化を抑えてあご紐伸縮機構１１をヘルメット１に設けることができる。
【００６３】
また、左帽体３Ｌと右帽体３Ｒとは、分割部２において、分割部の前端部を支点として開閉される。このように構成することで、ヘルメット１を分割構造にすることによる強度の低下を少なくすることができる。
【００６４】
以上、本発明の実施の形態におけるヘルメット１について説明したが、本発明の要旨を逸脱しない限り種々変更実施可能である。
たとえば、ヘルメット１は、略半円径のお椀型のヘルメットとして示したが、フルフェイス型のヘルメット、あるいはジェット型のヘルメット等、各種の形体のヘルメットに本発明を適用することができる。また、左帽体３Ｌと右帽体３Ｒの開閉の支持部は、蝶番５を用いる他、板バネ等を用いてもよい。また、円形部１２ｃ、帯状部１２ｂ、固定部１２Ｌ、および固定部１２Ｒは、一体成形されているが、これらの２つ以上の要素は、別個の部材として連結されていても良い。また、連結体１２の帯状部１２ｂは、間隙１３ｄ，１３ｈを通るように配置されているが、掛け部１４Ｌおよび掛け部１４Ｒの外側を通るように配置しても良い。さらに、連結体１２の中央の円形部１２ｃには、円形部１２ｃと接触する内層８の部分が円形にくり抜かれて接着し、図２、図４に示すようにヘルメット１の分割後に円形部１２ｃとそのくり抜かれた内層８の部分が一体となっていても良い。
【符号の説明】
【００６５】
１  ヘルメット
２  分割部
３  帽体
３Ｌ  左帽体
３Ｒ  右帽体
４  あご紐
４ａ  掛け渡し部
７  外側シェル
８  緩衝体
８Ｌ，８Ｒ  凹部
１１  あご紐伸縮機構
１２  連結体
１２Ｌ  あご紐左固定部
１２Ｒ  あご紐右固定部
１４Ｌ  あご紐左掛け部
１４Ｒ  あご紐右掛け部
１５Ｌ，１５Ｒ，１６ａ  孔部
【図１】
2010255142.tif 000003
【図２】
2010255142.tif 000004
【図３】
2010255142.tif 000005
【図４】
2010255142.tif 000006
【図５】
2010255142.tif 000007
【図６】
2010255142.tif 000008
【図７】
2010255142.tif 000009
【図８】
2010255142.tif 000010
【図９】
2010255142.tif 000011
【図１０】
2010255142.tif 000012
【図１１】
2010255142.tif 000013
【図１２】
2010255142.tif 000014